(57)【要約】      （修正有）【課題】腕力器のアームに加えられる力をヘッドに設置されたバネを垂直方向に変形させる力に転換することによって、構造を単純化できる腕力器を提供する。【解決手段】バネ設置部の両側面にアーム連結部が形成されたヘッドと、前記ヘッドの両側の前記アーム連結部に上端部が回転自在に結合されて延長される一対のアームと、前記ヘッドの前記バネ設置部に垂直方向に設置され、前記一対のアームが互いに接近する動きを伝達されて垂直方向に圧縮または伸張しながら発生する弾性力を前記アームに提供するバネ部材と、前記各アームに第１端部が連結され、前記各アーム間に延長された第２端部を有する一対のリンクと、前記各リンクの前記第２端部が連結されるリンク連結部を備えており、前記アームが互いに接近動作時の動きが前記リンクを介して前記リンク連結部に伝達され、力の合算力で前記バネ部材を圧縮または伸張動作させるように構成されるバネ動作部とを含む。【選択図】図１
2007275601.tif 000002
【特許請求の範囲】
【請求項１】
バネが設置されたバネ設置部と、前記バネ設置部の両側面にアーム連結部が形成されたヘッドと、
前記ヘッドの両側の前記アーム連結部に上端部が回転自在に結合されて延長される一対のアームと、
前記ヘッドの前記バネ設置部に垂直方向に設置され、前記一対のアームが互いに接近する動きを伝達されて垂直方向に圧縮または伸張しながら発生する弾性力を前記アームに提供するバネ部材と、
前記各アームに第１端部が連結され、前記各アーム間に延長された第２端部を有する一対のリンクと、
前記各リンクの前記第２端部が連結されるリンク連結部を備えており、前記アームが互いに接近動作時の動きが前記リンクを介して前記リンク連結部に伝達され、力の合算力で前記バネ部材を圧縮または伸張動作させるように構成されるバネ動作部と、を含むことを特徴とする腕力器。
【請求項２】
前記バネ部材は、引張コイルバネからなり、
前記バネ動作部は、前記リンク連結部の上方または下方への動きにより、一端が支持された前記コイルバネの他端を前記一端に対して遠くなる方向に移動させて前記コイルバネを引張することができるように構成されることを特徴とする請求項１に記載の腕力器。
【請求項３】
前記バネ部材は、圧縮コイルバネからなり、
前記バネ動作部は、前記リンク連結部の上方または下方への動きにより、一端が支持された前記コイルバネの他端を前記一端に接近する方向に移動させて前記コイルバネを圧縮することができるように構成されることを特徴とする請求項１に記載の腕力器。
【請求項４】
前記バネ動作部は、前記アームを接近移動させる時、前記コイルバネにより発生する弾性力の強さを調節自在に構成されることを特徴とする請求項３に記載の腕力器。
【請求項５】
前記バネ設置部は、下端が開口された中空の円筒部からなり、
前記コイルバネは、前記中空の円筒部の内側に設置され、且つ上端が前記中空の円筒部の上部面に支持されるように設置され、
前記バネ動作部は、
前記コイルバネの下端を支持する支持部材と、
前記中空の円筒部の上部面に上端が支持され、前記コイルバネの中心部を介して下部に延長されるロッド支持部と、
前記ロッド支持部の中心部に昇降自在に挿入されて支持され、前記支持部材と結合された状態で前記支持部材を貫通して下方に延長され、下端に前記リンク連結部が備えられたロッドと、を含み、
前記リンクは、前記リンク連結部に連結される第２端部が前記リンクの第１端部より上側に位置するように連結され、前記アームの接近動作により前記リンク連結部が上方移動することによって、前記支持部材により前記コイルバネが圧縮されながら弾性力を提供することを特徴とする請求項３に記載の腕力器。
【請求項６】
前記ロッドの外周面には、ねじ山部が備えられ、
前記支持部材は、前記ロッドのねじ山部にねじ締結方式で結合される回転ノブからなり、
前記回転ノブの一側または他側方向への回転により前記ロッドが上方または下方に移動自在に構成されることを特徴とする請求項５に記載の腕力器。
【請求項７】
前記バネ設置部は、上部が開口された中空の円筒部からなり、前記コイルバネは、下端が前記中空の円筒部の下部面により支持され、
前記バネ動作部は、前記コイルバネの上端を圧縮自在に支持するヘッド部と、前記ヘッド部の下端から前記中空の円筒部に沿って下部に延長され、前記中空の円筒部の下面を貫通し、下端に前記リンク連結部が備えられる連結ロッドと、を含み、
前記リンク連結部に連結された前記リンクの第２端部が前記リンクの第１端部より下部に位置するように連結され、前記アームの接近動作が前記リンク連結部の下方移動に転換され、前記連結ロッドにより前記上端支持部が下方に移動しながら前記コイルバネが上端を押圧して圧縮するように構成されることを特徴とする請求項３に記載の腕力器。
【請求項８】
前記中空の円筒部は、円筒形の単一の中空の円筒部が側面が互いに連通された状態で複数個配置されてなり、前記中空の円筒部には、複数のコイルバネが設置されることを特徴とする請求項７に記載の腕力器。
【請求項９】
前記ヘッド部と前記複数のコイルバネの上端との間には、前記複数のコイルの上端を共に支持する加圧片が設置されることを特徴とする請求項８に記載の腕力器。
【請求項１０】
前記連結ロッドは、前記ヘッド部と一体に形成された上部ロッドと、前記上部ロッドにねじ締結方式で結合され、締結長さを調節自在に構成される下部ロッドとからなり、
前記ヘッド部と前記上部ロッドは、調節ねじを構成し、前記ヘッド部の回転操作により前記上部ロッドが回転しながら前記下部ロッドとの締結長さが調節自在に構成されることを特徴とする請求項７又は８に記載の腕力器。
【請求項１１】
前記連結ロッドは、前記リンク連結部を貫通して下方に延長され、
前記リンク連結部の下部で前記連結ロッドに締結される調節ねじをさらに含み、前記調節ねじにより前記リンク連結部が前記連結ロッドに沿って上・下部に調節自在に構成されることを特徴とする請求項７又は８に記載の腕力器。
【請求項１２】
前記リンクは、前記第１端部と前記第２端部との間に折曲部分が形成され、
前記第１端部の連結地点と前記アーム連結部と前記アームの連結地点との間の延長線により形成される角より前記アーム連結部と前記アームの連結地点から前記アームに沿って延長される延長線により形成される角がさらに鋭角で形成されるように構成されることを特徴とする請求項７に記載の腕力器。
【請求項１３】
前記バネ部材は、ロッド部分とシリンダー部分とを有するガスバネからなることを特徴とする請求項１に記載の腕力器。
【請求項１４】
前記ガスバネは、前記ロッド部分が前記シリンダー部分の内側に移動する圧縮長さに対応して弾性力を提供する圧縮ガスバネからなり、
前記バネ設置部は、下端が開口された中空の円筒部からなり、前記シリンダー部分が支持されながら前記中空の円筒部に沿って延長されるように設置され、
前記バネ動作部の前記リンク連結部は、前記ロッド部分の下端で前記リンクの前記第２端部が連結されるように構成され、
前記リンク連結部に連結される前記リンクの前記第２端部が、前記アームに連結される前記リンクの前記第１端部より上方に位置するように構成され、
前記アームの接近動作によって前記リンク連結部が上昇することによって、前記ロッド部分が前記シリンダー部分の内側に移動しながら弾性力が提供されるように構成されることを特徴とする請求項１３に記載の腕力器。
【請求項１５】
前記ガスバネは、前記ロッド部分が前記シリンダー部分の外側に移動する伸張長さに対応して弾性力を提供する引張ガスバネからなり、
前記バネ設置部は、下端が開口された中空の円筒部からなり、前記シリンダー部分が支持されながら前記中空の円筒部に沿って延長されるように設置され、
前記バネ動作部の前記リンク連結部は、前記ロッド部分の下端で前記リンクの前記第２端部が連結されるように構成され、
前記リンク連結部に連結される前記リンクの前記第２端部が、前記アームに連結される前記リンクの前記第１端部より下方に位置するように構成され、
前記アームの接近動作によって前記リンク連結部が下降することによって、前記ロッド部分が前記シリンダー部分の外側に移動しながら弾性力が提供されるように構成されることを特徴とする請求項１３に記載の腕力器。
【請求項１６】
前記シリンダー部分を支持し、前記シリンダー部分を前記中空の円筒部に沿って昇降自在に操作して、前記ガスバネにより提供される弾性力の強さを調節自在に構成される支持部材を備えることを特徴とする請求項１４又は１５に記載の腕力器。
【請求項１７】
前記シリンダー部分の外周面にねじ山部が備えられ、
前記支持部材は、前記シリンダー部分が貫通して通過しながら前記ねじ山部にねじ締結される回転ノブからなり、
前記回転ノブは、前記中空の円筒部に交差方向に形成された前記中空の円筒部より大きい口径の円筒溝により支持されながら回転によって前記シリンダー部分を昇降移動させるように構成されることを特徴とする請求項１６に記載の腕力器。
【発明の詳細な説明】
【技術分野】
【０００１】
本発明は、腕力器に関する。
【背景技術】
【０００２】
腕力器とは、腕や肩の筋力を鍛えるために使用する運動機機の一種である。腕力器は、ユーザが両手で一対のアームの下端部に備えられた把持部を各々把持した後、一対のアームが相互接近するように力を加えて、腕や肩に筋力が付与されるようにし、さらに力を解いて一対のアームを元来の離隔状態に復帰させながら腕や肩の筋力が弛緩されるようにする原理で作用する。ユーザは、このような動作を繰り返すことによって、腕及び肩の筋力が向上する。
【０００３】
従来の腕力器は、ユーザが一対のアームを相互接近させる時、腕や肩の筋力を使われるように引張コイルバネを使用している。すなわち、アームが互いに接近する時、コイルバネが伸びながら運動方向と反対方向に力を作用させて、筋力向上運動になることができるようにする。
【０００４】
しかし、引張コイルバネを使用した腕力器の場合、アームと引張コイルバネとを連結する引張バネの末端の環部に応力が集中し、前記環部が容易に破断されるという問題点がある。このため、腕力器の耐久性及び寿命が低下し、消費者に不満を与えている。
【０００５】
また、従来の腕力器の場合、一般的に各アームが別の引張コイルバネで支持されるので、部品が増加し、両側のアームに作用する力の分配を均一にするために、コイルバネの弾性力が正確に調節されなければならないという短所があった。
【発明の開示】
【発明が解決しようとする課題】
【０００６】
本発明は、前述のような問題点を解決するためになされたもので、その目的は、腕力器の各アームにより加えられる力の合算力により、ヘッドに設置されたバネが圧縮されながら弾性力を提供するようにすることによって、各アームの分配される弾性力を単純な構造で均等化することができる腕力器を提供することにある。
【０００７】
また、本発明の他の目的は、腕力器のアームに加えられる力をヘッドに設置されたバネを垂直方向に変形させる力に転換することによって、構造を単純化できる腕力器を提供することにある。
【０００８】
また、本発明のさらに他の目的は、弾性力の強さ、すなわち強弱を調節できる腕力器を提供することにある。
【０００９】
また、本発明のさらに他の目的は、腕力器の構成を単純化して耐久性を向上させることによって、不良率を最小化できる腕力器を提供することにある。
【課題を解決するための手段】
【００１０】
上記目的を達成するために、本発明に係る腕力器は、バネが設置されたバネ設置部と、前記バネ設置部の両側面にアーム連結部が形成されたヘッドと、  前記ヘッドの両側の前記アーム連結部に上端部が回転自在に結合されて延長される一対のアームと、前記ヘッドの前記バネ設置部に垂直方向に設置され、前記一対のアームが互いに接近する動きを伝達されて垂直方向に圧縮または伸張しながら発生する弾性力を前記アームに提供するバネ部材と、前記各アームに第１端部が連結され、前記各アーム間に延長された第２端部を有する一対のリンクと、前記各リンクの前記第２端部が連結されるリンク連結部を備えており、前記アームが互いに接近動作時の動きが前記リンクを介して前記リンク連結部に伝達され、力の合算力で前記バネ部材を圧縮または伸張動作させるように構成されるバネ動作部と、を含む。
【００１１】
本発明の実施形態によれば、前記バネ部材は、引張コイルバネ又は圧縮コイルバネからなり、前記バネ動作部は、前記アームを接近移動させる時、前記コイルバネにより発生する弾性力の強さを調節自在に構成される。
【００１２】
本発明によれば、前記バネ設置部は、下端が開口された中空の円筒部からなり、前記コイルバネは、前記中空の円筒部の内側に設置され、且つ上端が前記中空の円筒部の上部面に支持されるように設置され、前記バネ動作部は、前記コイルバネの下端を支持する支持部材と、前記中空の円筒部の上部面に上端が支持され、前記コイルバネの中心部を介して下部に延長されるロッド支持部と、前記ロッド支持部の中心部に昇降自在に挿入されて支持され、前記支持部材と結合された状態で前記支持部材を貫通して下方に延長され、下端に前記リンク連結部が備えられたロッドと、を含み、前記リンクは、前記リンク連結部に連結される第２端部が前記リンクの第１端部より上側に位置するように連結され、前記アームの接近動作により前記リンク連結部が上方移動することによって、前記支持部材により前記コイルバネが圧縮されながら弾性力を提供し、さらに、前記ロッドの外周面には、ねじ山部が備えられ、前記支持部材は、前記ロッドのねじ山部にねじ締結方式で結合される回転ノブからなり、前記回転ノブの一側または他側方向への回転により前記ロッドが上方または下方へ移動自在に構成される。
【００１３】
本発明によれば、前記バネ設置部は、上部が開口された中空の円筒部からなり、前記コイルバネは、下端が前記中空の円筒部の下部面により支持され、前記バネ動作部は、前記コイルバネの上端を圧縮自在に支持するヘッド部と、前記ヘッド部の下端から前記中空の円筒部に沿って下部に延長され、前記中空の円筒部の下面を貫通し、下端に前記リンク連結部が備えられる連結ロッドと、を含み、  前記リンク連結部に連結された前記リンクの第２端部が前記リンクの第１端部より下部に位置するように連結され、前記アームの接近動作が前記リンク連結部の下方移動に転換され、前記連結ロッドにより前記上端支持部が下方に移動しながら前記コイルバネが上端を押圧して圧縮するように構成される。
【００１４】
本発明によれば、前記連結ロッドは、前記ヘッド部と一体に形成された上部ロッドと、前記上部ロッドにねじ締結方式で結合され、締結長さを調節自在に構成される下部ロッドとからなり、前記ヘッド部と前記上部ロッドは、調節ねじを構成し、前記ヘッド部の回転操作により前記上部ロッドが回転しながら前記下部ロッドとの締結長さが調節自在に構成される。
【００１５】
本発明によれば、前記連結ロッドは、前記リンク連結部を貫通して下方に延長され、前記リンク連結部の下部で前記連結ロッドに締結される調節ねじをさらに含み、前記調節ねじにより前記リンク連結部が前記連結ロッドに沿って上・下部に調節自在に構成される。
【００１６】
本発明の他の実施形態によれば、前記バネ部材は、ロッド部分とシリンダー部分を有するガスバネからなる。
【００１７】
本発明によれば、前記ガスバネのシリンダー部分を支持し、前記シリンダー部分を前記中空の円筒部に沿って昇降自在に操作して、前記ガスバネにより提供される弾性力の強さを調節自在に構成される支持部材を備える。
【発明の効果】
【００１８】
本発明によれば、各アームが側面に連結されるヘッドにバネ設置部を備えており、腕力器の各アームに加えられる力の合算力により、ヘッドに設置されたバネにより弾性力が提供されるように構成することによって、バネ構造を単純化させることができる。また、各アームの個別的な動きにより各々のバネにより弾性力が提供されるものでなく、各アームの移動時、リンク連結部を介して合算され、合算力でバネを圧縮または引張するようになるので、各アームに分配される力の均衡が同一である。
【００１９】
また、本発明は、バネ部材としてコイルバネを利用する場合、コイルバネの圧縮時に発生する弾性力を利用するように構成され、従来の腕力器においてコイルバネとアーム連結部の破断が発生して不良が発生する問題点を根本的に解決することができるという効果がある。
【００２０】
また、本発明は、バネ部材としてガスバネを利用する場合にも、単純な構造で弾性力が均等に分配され得る構造の腕力器を提供することができる。
【００２１】
また、本発明は、腕力器アームに加えられる力を、ヘッドに設置されたバネを垂直方向に変形させる力に転換することによって、構造を単純化することができる。ひいては、弾性力の強さ、すなわち強弱を調節した構造を提供する。
【発明を実施するための最良の形態】
【００２２】
以下、添付の図面を参照して本発明の好ましい実施形態を詳細に説明する。
本発明の実施形態に係る腕力器は、ヘッド１０と、一対のアーム４０と、バネ部材５０と、リンク６０と、バネ動作部７０とを含んで構成される。
【００２３】
第１の実施形態．
図１は、本発明の第１実施形態に係る腕力器を示す部分断面図であり、図２は、本発明の第１実施形態に係る腕力器を示す部分外観斜視図である。
図１及び図２に示されたように、本発明の第１実施形態に係る腕力器１のヘッド１０は、バネが設置されるバネ設置部２０と、前記バネ設置部２０の側面に形成されたアーム連結部３０とを含む。
【００２４】
ヘッド１０の両側に位置する各々のアーム連結部３０に各アーム４０の上端部４２がヒンジピン４４により回転自在に連結される。上端部４２がアーム連結部３０に回転自在に連結された各アーム４０は、下側に延長され、下端側に把持部４６が形成されていて、ユーザが把持可能に構成されている。把持部４６は、手が滑らないように、一般的にゴム材質の滑り防止パッドで形成される。そして、把持部４６には、指が容易に配置され得るように、指形状の把持溝（不図示）が形成されることができる。
【００２５】
アーム連結部３０には、アームの上端部４２が挿入され、前・後方側壁３２、３４を貫通して締結されるヒンジピン４４により回転自在に固定される。ヘッド１０の両側面方向に位置するアーム連結部の外側壁３６の下端３７の形成位置によりアーム４０が最大に広がる角度が規制される。
【００２６】
ヘッド１０のバネ設置部２０は、下端が開口された垂直方向に延長された中空の円筒部２２で形成され、内部にバネ部材５０であるコイルバネ５１を収容する。中空の円筒部２２に設置されるコイルバネ５１の上端は、中空円筒部２２の上部面２４により支持され、下端は、後述する円板状の回転ノブ８０により支持される。
【００２７】
本発明の第１実施形態によれば、バネ部材５０は、コイルバネ５１からなり、アーム４０を互いに接近させる時に必要な力は、コイルバネ５１が圧縮されながら発生する弾性力に対応する。コイルバネ５１は、その下端を支持する回転ノブ８０がアーム４０の動作によって上昇または下降することによって圧縮または復元される。
【００２８】
本発明の第１実施形態によれば、アーム４０の動きを伝達されてコイルバネ５１を圧縮動作させるバネ動作部７０は、ロッド支持部７２と、ロッド７４と、該ロッド７４に固定され、コイルバネ５１の下端を支持する支持部材である回転ノブ８０とを含む。
【００２９】
ロッド支持部７２は、中空の円筒部２２の上部面２４に上端が固定され、前記中空の円筒部２２の内側から下方向に延長されるが、コイルバネ５１の中心部を介して下方に延長される。そして、ロッド支持部７２の中心部の中空には、ロッド７４が挿入され、上・下方に移動自在に支持されている。ロッド７４は、前記ロッド支持部７２の内部から下方に中空の円筒部２２の外側に延長され、下端にリンク連結部７５が備えられる。そして、ロッド７４には、コイルバネ５１の下端を支持する保持台である円板状の支持部材として回転ノブ８０が設置される。したがって、リンク連結部７５が上方に移動する場合、ロッド７４がロッド支持部７２の中心部の中空により案内されながら上方に移動し、ロッド７４に支持された回転ノブ８０が上昇しながら回転ノブ８０に下端が支持されたコイルバネ５１が上方に圧縮される。これにより、コイルバネ５１は、圧縮変位量に対応する弾性力をアーム４０に提供する。
【００３０】
アーム４０とリンク連結部７５との間には、リンク６０が連結される。各アーム４０に第１端部が回転自在に連結された各リンク６０がアームの間に延長され、第２端部がリンク連結部７５で固定ピン７７にて回転自在に連結される。アーム４０に連結されたリンク６０の第１端部は、リンク連結部７５に連結されるリンク６０の第２端部より下部に位置する。したがって、アーム４０が互いに接近する時、リンク連結部７５は、上方に移動するようになる。リンク６０とアーム４０との間には、アーム４０とリンク６０を互いに弾性的に支持し得るようにする低弾性の引張バネ６５が設置される。
【００３１】
本発明の第１実施形態に係る腕力器は、運動時に所要される力、すなわち腕力器の強さを調節自在に形成される。ロッド７４の外周面には、ねじ山が形成され、ねじ山部７６をなす。回転ノブ８０の中心部には、前記ロッド７４のねじ山部７６が締結されるねじ山が形成された孔、すなわちねじ孔が形成される。ロッド７４は、回転ノブ８０にねじ締結方式で結合され、これにより、回転ノブ８０の回転は、ロッド７４の上下方向の動きを起こす。図３に示されたように、円板状の回転ノブ８０を一側または他側に回転させることが可能であるが、回転ノブ８０の一側方向への回転によりロッド７４が下方に移動すれば、アーム４０の間が遠くなる。したがって、アーム４０を最大で接近させた時点でのコイルバネ５１の変形量が相対的に増大する（図５参照）。したがって、筋力運動をする時に必要な力が多くなる。回転ノブ８０を反対方向に回転させる場合、ロッド７４が上部方向に移動しながらアーム４０間の距離が狭くなり、したがって、アーム４０が最大で接近した時、コイルバネ５１の変形量が相対的に減少する（図４参照）。したがって、アーム４０を最大で接近させるために必要な力、すなわち運動に要求される力が少なくなる。すなわち図３に示された回転ノブ８０の操作は、図４または図５のように腕力器の弾性力の強さ、すなわち腕力器の強弱を調節できるようにする。従って、本発明の第１実施形態によれば、ユーザが回転ノブ８０により腕力器の強さをユーザに筋力に合うように調節することができる。
【００３２】
第２の実施形態．
添付の図６は、本発明の第２実施形態に係る腕力器１００を示す部分断面図であり、図７及び図８は、本発明の第２実施形態に係る腕力器１００の外観斜視図（ａ）及び動作図（ｂ）である。本発明の第２実施形態によれば、腕力器１００のヘッド１１０は、バネが設置されるバネ設置部１２０と、前記バネ設置部１２０の側面に形成されるアーム連結部１３０とを含む。
【００３３】
ヘッド１１０の両側に位置する各々のアーム連結部１３０にアーム１４０の上端部１４２がヒンジピン１４４により回転自在に連結される。アーム１４０は、添付の図１及び図２を参照とする第１実施形態と同様に、下端側に把持部１４６を含む。
【００３４】
ヘッド１１０のバネ設置部１２０は、下端が開口され、垂直方向に延長された中空の円筒部１２２で形成され、内部にバネ部材１５０であるガスバネ１５１を収容する。本発明の第２実施形態によれば、バネ部材１５０は、圧縮式ガスバネ１５１からなる。ガスバネ１５１は、ロッド部分１５２とシリンダー部分１５３とを含み、ロッド部分１５２は、シリンダー部分１５３の内側に位置するピストン（不図示）に連結され、シリンダー部分１５２の外部に延長される。したがって、ロッド部分１５２がシリンダー部分１５３の内側に移動する圧縮長さに対応してロッド部分１５２を下方に押し出す方向に弾性力を提供する。したがって、アーム１５０が互いに近接移動する時にユーザにより加えられる力は、ロッド部分１５２をシリンダー部分１５４の内側方向に移動させ、これにより、ガスバネ１５１は、これに反対される方向に弾性力を提供する。
【００３５】
本発明の第２実施形態によれば、アーム１５０の動きを伝達されてガスバネ１５０を圧縮動作させるバネ動作部１７０は、ガスバネ１５１のシリンダー部分１５３を中空の円筒部１２２に対して支持する支持部材である回転ノブ１８０と、ロッド部分１５２の下端に形成されるリンク連結部１７５とから構成される。リンク連結部１７５で両側に位置する各アーム１４０から延長された各リンク１６０が固定ピン１７７により回転自在に固定される。
【００３６】
回転ノブ１８０は、中空の円筒部１２２に交差される方向に形成された中空より大きい口径の円筒溝１８１に設置される。また、回転ノブ１８０は、前記円筒溝１８１によりその位置が支持されながらシリンダー部分１５３を支持する。このために、シリンダー部分１５３の外周面は、ねじ山が形成されたねじ山部１５６をなし、回転ノブ１８０の中心部に前記シリンダー部分１５３が貫通して延長され、前記ねじ山部１５６が締結されるねじ山が形成された孔、すなわちねじ孔が形成され、シリンダー部分１５３が前記ねじ孔に昇降自在にねじ締結される。したがって、回転ノブ１８０が一側または他側に回転させてガスバネ１５１のシリンダー部分１５３を上方または下方に移動させることが可能となる。
【００３７】
一方、アーム１４０とリンク連結部１７５との間には、アーム１４０の相互接近移動をリンク連結部１７５の上方移動に伝達するリンク１６０が設置される。この時、アーム１４０の相互接近移動がリンク連結部１７５の上方移動に伝達されるように、アーム１４０に連結されたリンク１６０の第１端部は、リンク連結部１７５に連結されたリンク１６０の第２端部より下部に位置する。
【００３８】
図７及び図８を参照して、本発明の第２実施形態に係る腕力器１００の動作を説明する。
まず、図７の（ａ）と図８の（ａ）を比較すれば、回転ノブ１８０の操作によってガスバネ１５１のシリンダー部分１５３が相対的に下降（図７の（ａ）参照）した場合と、相対的に上昇（図８の（ａ）参照）した場合であることが分かる。回転ノブ１８０は、円筒溝１８１に支持された状態でシリンダー部分１５３を支持するので、回転ノブ１８０の一側または他側への回転は、シリンダー部分１５３の下降及び上昇を起こす。
【００３９】
図７の（ａ）を参照すれば、回転ノブ１８０が一側に回転して、シリンダー部分１５３が中空の円筒部１２２の内側から外側に相対的に下降した状態を示している。したがって、図７の（ｂ）に示されたように、アーム１４０が互いに近接するようにユーザがアーム１４０を掴んで力を加える場合、ロッド部分１５２がシリンダー部分１５３の内側に挿入される長さが相対的に長い。言い換えれば、シリンダー部分１５３の外側に露出されたロッド部分１５２の長さが短い。
【００４０】
しかしながら、図８の（ａ）を参照すれば、回転ノブ１８０が他側に回転して、シリンダー部分１５３が中空の円筒部１２２の内側に相対的に上昇した状態を示しているが、この場合、図８の（ｂ）のようにアーム１４０が最大距離で近接するように、ユーザがアーム１４０を掴んで力を加えれば、シリンダー部分１５３が相対的に上昇してあるため、ロッド部分１５２がシリンダー部分１５３の内側に挿入される長さが相対的に短い。言い換えれば、シリンダー部分１５３の外側に露出されたロッド部分１５２の長さが相対的に長い。図７の（ｂ）と図８の（ｂ）を比較すれば、アーム１４０を相互接近移動させる場合、アーム１４０の動きによりリンク連結部１７５が上昇する位置が同一であるが、シリンダー部分１５３の垂直位置が互いに異なるので、シリンダー部分１５３が相対的に下降した状態でアーム１４０を近接させることとなり、ガスバネ１５１の圧縮長さが相対的に長くなる（図７）。これは、回転ノブ１８０を調節すれば、ガスバネ１５１のシリンダー部分１５３の位置が垂直方向に調節され、ガスバネ１５１が圧縮により提供される弾性力の強さを調節することが可能となることを意味する。したがって、回転ノブ１８０の操作は、ガスバネ１５１で提供される弾性力の強さを調節して、腕力器１００の強弱を調節可能にする。
【００４１】
第３の実施形態．
図９は、本発明の第３実施形態を示す外観斜視図である。図６乃至図８に示された本発明の第２実施形態と比較する時、バネ部材１５０が圧縮式ガスバネから引張式ガスバネ１５９に変更された。すなわちロッド部分１５２がシリンダー部分１５３の外側に引張される力に対してロッド部分１５２をシリンダー部分１５３の内側に引張する方向に弾性力を提供する。
【００４２】
また、本発明の第３実施形態は、リンク１６０の連結構造が本発明の第２実施形態と異なる。アーム１４０に連結されるリンク１６０の一端が、アーム１４０の他端が連結されるリンク連結部１７５より上部に位置する。したがって、アーム１４０を掴んで互いに接近移動させる動作は、リンク連結部１７５の下降運動に転換される。リンク連結部１７５の下降運動によりロッド部分１５２が引張され、この時、ガスバネ１５１には、ロッド部分１５２が引張される方向の反対方向に弾性力が作用する。
【００４３】
本発明の第３実施形態も、第２実施形態と同様に、回転ノブ１８０の操作により弾性力の強弱を調節することが可能である。但し、本発明の第３実施形態では、シリンダー部分１５３を下方に移動させることによって相対的に提供される弾性力の強さが小さくなり、シリンダー部分１５３を上方に移動させることによって相対的に提供される弾性力の強さが大きくなる。すなわち弾性力の調節のために移動されるシリンダー部分１５３の方向が反対である。
【００４４】
第４の実施形態．
図１０は、本発明の第４実施形態に係る腕力器を示す部分分解断面図であり、図１１は、本発明の第４実施形態に係る腕力器を示す部分結合断面図であり、図１２は、本発明の第４実施形態に係る腕力器を示す外観斜視図であり、図１３及び図１４は、各々本発明の第４実施形態に係る腕力器の部分変形例を示す部分断面図である。
【００４５】
図１０乃至図１２を参照すれば、本発明の第４実施形態に係る腕力器２００ヘッド２１０は、バネが設置されるバネ設置部２２０と、前記バネ設置部２２０の側面に形成されたアーム連結部２３０とを含む。
【００４６】
ヘッド２１０の両側に位置する各々のアーム連結部２３０には、アーム２４０の上端部２４２がヒンジピン２４４により回転自在に連結される。アーム２４０は、添付の図１及び図２を参照とする第１実施形態と同様に、下端側に把持部２４６を含む。
【００４７】
ヘッド２１０のバネ設置部２２０は、垂直方向に延長され、下面が閉鎖された中空の円筒部２２２からなり、前記圧縮バネは、前記中空円筒部２２２の下面により下端が支持されるコイルバネ２５１である。前記中空の円筒部２２２は、図１０乃至図１１に示されたように、複数のコイルバネ２５１を収容可能となるように、単一の中空の円筒部は、側面が互いに連通された形態で並んで配置された形態をなすことが可能である。しかしながら、図１３に示された本発明の第４実施形態の変形例のように、単一の中空の円筒部からなるバネ設置部を備えて腕力器を構成することも可能である。図１３に示された本発明の第４実施形態の変形例は、中空の円筒部が単一の中空の円筒部からなることを除いて、図１０乃至図１２に示された本発明の第４実施形態と同様であり、ヘッド部２８１がコイルバネの上端を直接支持する。
【００４８】
さらに図１０乃至図１２を参照すれば、本発明の第４実施形態によれば、アーム２４０の動きを伝達されてコイルバネ２５１を圧縮動作させるバネ動作部は、ヘッド部２８１と、下端にリンク連結部を備えた連結ロッドとを含み、実施形態によって加圧片２７１を含む。
【００４９】
バネ設置部２２０をなす中空の円筒部２２２に圧縮バネ２５０が設置されれば、本発明の第４実施形態では、圧縮バネ２５０は、複数のコイルバネ２５１からなる。
【００５０】
複数のコイルバネ２５１の上端は、加圧片２７１により支持されるが、中空円筒部２２２の延長方向に加圧片２７１が乗降移動することによって、コイルバネ２５１が圧縮及び復元される。加圧片２７１は、中空の円筒部２２２の形状に対応するブロック形態をなしている。
【００５１】
ヘッド部２８１は、加圧片２７１の上面に支持され、ヘッド部２８１に連結された連結ロッドが下方に引張する力を伝達されて加圧片２７１を下降させる。
【００５２】
ヘッド部２８１の下端から加圧片２７１の貫通孔２７２を通過して下方に延長される連結ロッドは、中空の円筒部２２２の下面を貫通して下方に延長され、リンク連結部２７５が備えられる。本発明の第４実施形態によれば、連結ロッドは、ヘッド部２８１に上端が一体に固定された上部ロッド２８２と、前記上部ロッドに螺着方式で結合され、締結長さの調節が可能な下部ロッド２７４とを含む。本発明の第４実施形態によれば、ヘッド部２８１と上部ロッド２８２が一体に形成されたり、結合されたりして調節ねじ２８０をなす。以下では、調節ねじ２８０と前記調節ねじ２８０に締結された下部ロッド２７４の観点から本発明の第４実施形態を説明する。
【００５３】
調節ねじ２８０は、中空タイプで形成される。調節ねじ２８０の中空、すなわち中心孔には、下部から上部に延長されてきた下部ロッド２７４が挿入される。中心孔には、内周面にねじ山が形成されたナット２８３が挿入されて支持され、このナット２８３により下部ロッド２７４と調節ねじ２８０の上部ロッド２８２とが互いにねじ締結方式で結合された。中心孔の内周面にねじ山が直接形成される場合、ナット２８３は省略可能である。
【００５４】
下部ロッド２７４の下端に備えられるリンク連結部２７５は、孔形態で形成され、固定ピン２７７によりリンク２６０の第２端部が回転自在に連結される。下部ロッド２７４のリンク連結部２７５と中空の円筒部２２２の下端との間には、低弾性のバネ２６５が設置される。
【００５５】
リンク２６０の各々は、第１端部がアーム２４０に結合され、第２端部がリンク連結部２７５に固定ピン２７７により結合されるが、リンク２６０の第１端部が第２端部より上部に位置し、第１端部から下部に傾斜するようにリンク連結部２７５に向かって延長され、第２端部がリンク連結部に固定される。
【００５６】
従って、本発明の第４実施形態に係る腕力器２００の動作を示す図１５を参照すれば、アーム２４０を互いに近接移動させる場合、アーム２４０の近接移動は、リンクの第２端部２６４及びこれに連結されたリンク連結部２７５を下方方向に移動させる。リンク連結部２７５が形成された下部ロッド２７４は、上方に延長され、調節ねじ２８０に結合されているため、リンク連結部２７５の下方移動は、下部ロッド２７４及び下部ロッド２７４に結合された調節ねじ２８０のヘッド部２８１を下方に引張する。これにより、調節ねじ２８０のヘッド部２８１は、加圧片２７１を下方に引張して、コイルバネ２５１を圧縮させる。すなわちアーム２４０は、相互接近移動がコイルバネ２５１の上端を押圧する加圧片２７１の下降移動に転換され、コイルバネ２５１を圧縮し、これにより、腕力器３００に弾性力が提供される。
【００５７】
本発明の第４実施形態によれば、調節ねじ２８０は、下部ロッド２７４とねじ締結されているので、調節ねじ２８０のヘッド部２８１を一側または他側に回転させれば、調節ねじ２８０と下部ロッド２７４の締結長さ、より具体的には、上部ロッド２８２と下部ロッド２７４の締結長さを調節することができる。したがって、連結ロッドの長さが調節されることが可能である。
【００５８】
調節ねじ２８０の一側方向の回転によって締結長さが短くなりながら下部ロッド２７４が下方に移動し、他側方向の回転によって反対に締結長さが長くなりながら下部ロッド２７４が上方に移動する。下部ロッド２７４が下方に移動すれば、アーム２４０間の距離が近くなり、これにより、アーム２４０が互いに近接した状態でのコイルバネ２５１の変形量が相対的に小さくなる。反対に、下部ロッド２７４が上方に移動すれば、アーム２４０間の距離が遠くなり、これにより、アーム２４０が互いに近接した状態でのコイルバネ２５１の変形量が相対的に多くなる。アーム２４０を互いに近接させる時に所要される力は、コイルバネ２５１の変形量に比例するので、調節ねじ２８０の回転により腕力器２００の強弱を調節可能である。
【００５９】
図１４は、本発明の第４実施形態の他の変形例を示す図である。図１４に示された他の変形例は、本発明の第４実施形態と比較して、バネ動作部３７０の構成が異なる。
図１４を参照すれば、バネ動作部３７０は、中空の円筒部２２２で形成されたバネ設置部に設置されたコイルバネ２５１の上端を支持するヘッド部３７２と、連結ロッド３８０と、リンク連結部３９０とを含む。
【００６０】
連結ロッド３８０は、ヘッド部３７２に上端が固定され、コイルバネ２５１を中心の介して下方に延長されるが、中空の円筒部２２２の下端を貫通してヘッド２１０の下部まで延長される。
【００６１】
リンク連結部３９０は、連結ロッド３８０の下部に結合され、両側面の各々に、各アーム２４０とリンク連結部３９０とを連結する各リンク３６０の第２端部３６４がピボット結合される。リンクの第１端部３６２は、第２端部３６４より上部位置でアーム２４０とピボット結合される。
【００６２】
したがって、アーム２４０を相互接近させる方向に運動が始まれば、アーム２４０、リンク３６０、リンク連結部３９０及び連結ロッド３８０の機構的結合構造によって、ヘッド部３７２が下方に移動しながらコイルバネ２５１を圧縮させる。
【００６３】
本発明の第４実施形態に係る変形例は、腕力器の強弱を調節自在にする手段として、連結ロッド３８０の下端に結合されるリンク連結部３９０の下端に締結される調節ねじ４００を含む。調節ねじ４００は、連結ロッド３８０の外周面に形成されたねじ山と対応するねじ山が形成された孔を備えており、連結ロッド３８０とねじ締結される。
【００６４】
調節ねじ４００は、連結ロッド３８０でのリンク連結部３９０の位置を決定する役目をする。したがって、調節ねじ４００を一側に回転させれば、リンク連結部３９０が連結ロッド３８０に沿って上方に移動し、これにより、アーム２４０間の距離が遠くなる。反対に、リンク連結部３９０が下方に移動するように調節ねじ４００を他側に回転させれば、リンク連結部３９０が下方に移動する。これにより、図１０乃至図１２に示された実施形態と同様の原理で腕力器の強弱を調節することが可能である。リンク連結部３９０と中空の円筒部２２２の下端との間には、リンク連結部３９０及びこれに連結された連結ロッド３８０を支持する低弾性のバネ３９５が設置される。
【００６５】
図１４に示された実施形態は、コイルバネ２５１の内側空間の確保が有利であり、コイルバネ２５１の内側に別のコイルバネ２５２の設置が有利である。
【００６６】
一方、図１４を参照すれば、リンク３６０は、前記第１端部３６２と前記第２端部３６４との間に折曲部分が形成され、前記第１端部３６２のアーム連結地点Ｂと前記アーム連結部２３０と前記アーム２４０の連結地点Ａとの間の延長線により形成される角βより前記アーム連結部２３０と前記アーム２４０の連結地点Ｂから前記アームに沿って延長される延長線により形成される角αがさらに鋭角で形成されるように構成される。
【図面の簡単な説明】
【００６７】
【図１】本発明の第１実施形態に係る腕力器を示す部分断面図である。
【図２】本発明の第１実施形態に係る腕力器を示す部分外観斜視図である。
【図３】本発明の第１実施形態に係る腕力器の強弱調節を説明する説明図である。
【図４】本発明の第１実施形態に係る腕力器において弾性力の強さが相対的に弱く調節された状態での動作図である。
【図５】本発明の第１実施形態に係る腕力器において弾性力の強さが相対的に強く調節された状態での動作図である。
【図６】本発明の第２実施形態に係る腕力器を示す部分断面図である。
【図７】本発明の第２実施形態に係る腕力器を示す外観斜視図（ａ）及びその動作図（ｂ）である。
【図８】本発明の第２実施形態に係る腕力器を示す外観斜視図（ａ）及びその動作図（ｂ）である。
【図９】本発明の第３実施形態に係る腕力器を示す外観斜視図である。
【図１０】本発明の第４実施形態に係る腕力器を示す部分分解断面図である。
【図１１】本発明の第４実施形態に係る腕力器を示す部分結合断面図である。
【図１２】本発明の第４実施形態に係る腕力器を示す外観斜視図である。
【図１３】本発明の第４実施形態に係る腕力器の変形実施形態を示す部分分解断面図である。
【図１４】本発明の第４実施形態に係る腕力器の他の変形実施形態を示す部分断面図である。
【図１５】本発明の第４実施形態に係る腕力器の動作図である。
【符号の説明】
【００６８】
１  腕力器、
１０  ヘッド
２０  バネ設置部、
３０  アーム連結部、
４０  アーム、
５０  バネ部材、
６０  リンク、
７０  バネ動作部、
８０  回転ノブ。
【図１】
2007275601.tif 000003
【図２】
2007275601.tif 000004
【図３】
2007275601.tif 000005
【図４】
2007275601.tif 000006
【図５】
2007275601.tif 000007
【図６】
2007275601.tif 000008
【図７】
2007275601.tif 000009
【図８】
2007275601.tif 000010
【図９】
2007275601.tif 000011
【図１０】
2007275601.tif 000012
【図１１】
2007275601.tif 000013
【図１２】
2007275601.tif 000014
【図１３】
2007275601.tif 000015
【図１４】
2007275601.tif 000016
【図１５】
2007275601.tif 000017